(57)【要約】      （修正有）【課題】複数の色を分離合成する垂直方向の液晶パネルは、１画素１ライン表示時にディスクリネーション起因の表示不良（以後Ｄ不良と略称）が発生し、印加電圧が高いほど量的に多くなる。液晶分子の分光特性により、ＲＧＢ各色１００％（白表示）にするための電圧が異なり、結果Ｄ不良の度合が色によって異なることで起こる、白を基調とした１画素１ライン表示の画像色づきを抑制する方法を提供する。【解決手段】液晶パネルのプレチルト角度を、Ｂ＞Ｇ＞Ｒとする。一般的に、１００％（白表示）にするための電圧は、Ｒ＞Ｇ＞Ｂである。また、液晶のプレチルト角度は大きくなるほど１００％（白表示）にするための電圧が小さくなるため、プレチルト角度をＢ＞Ｇ＞Ｒとすることで、１００％（白表示）の電圧を各色略等しくする。これにより、Ｄ不良の程度を各色等しくして、色にじみを無くす。【選択図】図１
2012247445.tif 000002
【特許請求の範囲】
【請求項１】
光源と、
前記光源からの光を
赤と緑と青の帯域の３つの波長帯域に色分解合成する色分解合成系と、
３つの液晶変調素子からなり、
前記液晶変調素子は、
第１の基板と、
第１の基板上に設けられた第１の対向電極と、
第１の対向電極上に設けられた第１の配向膜と、
第２の基板と、
第２の基板上に設けられた第２の対向電極と、
第２の対向電極に設けられた第２の配向膜と、
第１と第２の配向膜との間に挟まれた液晶層とからなり、
前記第１あるいは第２の配向膜の面内方向に対して
所定のプレチルト角度を持って垂直方向に液晶分子がホメオトロピック配向する
垂直配向のＶＡＮモードで構成されており、
前記赤帯域の光が入射する前記液晶表示素子を赤帯域液晶表示素子、
前記緑帯域の光が入射する前記液晶表示素子を緑帯域液晶表示素子、
前記青帯域の光が入射する前記液晶表示素子を青帯域液晶表示素子、
のとき、
前記液晶変調素子のプレチルト角度の大きさは、
青帯域液晶表示素子＞緑帯域液晶表示素子＞赤帯域液晶表示素子
の順番に設定されていることを特徴とする、
液晶表示装置。
【請求項２】
前記緑帯域液晶表示素子のプレチルト角度に対して、
前記赤帯域液晶表示素子のプレチルト角度の範囲は、
−５度以上０度未満であり、
かつ、
前記青帯域液晶表示素子のプレチルト角度の範囲は、
０度超過から＋６度以下であることを特徴とする、
請求項１に記載の液晶表示装置。
【請求項３】
前記赤帯域液晶表示素子、
前記緑帯域液晶表示素子、
前記青帯域液晶表示素子いずれも、
白表示時において、
最大の明るさを出力するための電圧が設定されていることを特徴とする、
請求項１又は請求項２に記載の液晶表示装置。
【発明の詳細な説明】
【技術分野】
【０００１】
本発明は、画像表示装置に関するものである。特に、画像パターンを液晶変調素子によって偏光状態による変調画像を生成し、偏光状態を選択する偏光選択手段により強度変調画像に変換して可視画像生成する表示装置に関するものであり、また、特にＲＧＢ３板の液晶変調素子を用いた画像表示装置に関するものである。
【背景技術】
【０００２】
従来、投射型表示装置の画像変調手段として２次元画素光学スイッチとして液晶変調素子を用いた液晶プロジェクタがあり、液晶プロジェクタに用いる液晶変調素子としては、例えば透明電極を有する第１の透明基板と、画素を形成する透明電極及び配線，スイッチング素子等を有する第２の透明基板との間に誘電異方性が正のネマチック液晶を封入し、液晶分子長軸を２枚のガラス基板間で連続的に９０°ねじった、いわゆるＴＮ（Ｔｗｉｓｔｅｄ  Ｎｅｍａｔｉｃ）液晶変調素子が用いられている。また、このような透過型の液晶変調素子の他に、透明電極を有する透明基板と、２次元光学スイッチとして一方の基板に反射鏡と配線、スイッチング素子等有する回路基板との間に誘電異方性が正のネマチック液晶を封入し、液晶分子長軸を２枚の基板間に対してほぼ垂直にモメオトロピック配向させた、いわゆるＶＡＮ（Ｖｅｒｔｉｃａｌ  Ａｌｉｇｎｍｅｎｔ  Ｎｅｍａｔｉｃ）液晶型の反射型液晶変調素子を用いているものもある。
【０００３】
液晶変調素子としては、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）効果を利用し、液晶層を通過する光波動に対してリタデーションを与えて、光波動の偏光状態を変化させる作用を制御して画像を形成する方法が主に用いられる。
【０００４】
一般的な液晶変調素子の設計は、入射光をポラライザ−等の偏光制御手段を介して波動の偏波を所定方向の直線偏光状態にした光波動を入射させ、この所定方向に振動する直線偏光状態の光が通過するときに、偏光変調を行う場合、ノーマリーホワイトを基準とする液晶素子は、液晶へ無電界印加状態で、入射光波長（ある光波長帯域の重心波長）において半波長だけのリタデーションを与えるよう設計されており、ノーマリーブラックを基準とする液晶素子は、液晶へ無電界印加状態で、入射光波長においては与えるリタデーションを極小とし、液晶へ所定電界を印加した状態にて半波長だけのリタデーションを与えるよう設計されている。半波長のリタデーションを与えられた光は、入射する前の直線偏光の振動方向と直角の方向に振動方向が変換されて出射することとなる。その後、入射側に配された偏光制御手段とクロスニコル配置をとるポラライザ−等の偏光制御手段を配することで偏光状態を選択し、選択された光は透過することとなるよう構成されている。この設計に対して、ＥＣＢ効果を用いて、液晶層に印加する電圧を制御することで、液晶分子はその分子長軸方向を液晶層の層厚方向にチルト動作を起こし、液晶層厚方向の複屈折量が減少または増加することで、液晶層を通過した光波動は、液晶層印加電圧に応じて楕円偏光状態となり、光出射側に配された偏光制御手段によって、振動方向が直交変換されない光成分が遮断されて、入射光の強度を変調するように構成されている。
【０００５】
一般的に、ＶＡＮ液晶型の液晶変調素子は、１画素１ライン表示時にディスクリネーションが原因で表示不良が発生する。
【０００６】
特に、複数の色を分離合成する画像表示装置に関しては、液晶分子の分光特性により、色によって光利用効率を１００％（白表示）にするための電圧が異なる。例えば、複数の色帯域が、赤帯域、緑帯域、青帯域に分解される画像表示装置の場合、光利用効率を１００％（白表示）にするための電圧の大きさは、赤帯域＞緑帯域＞青帯域の順番になる。
【０００７】
かつ、ディスクリネーションによる表示不良は、電圧が高いほど横電界が大きくなり、表示不良が量的に多くなる。
【０００８】
これにより、色を合成する際に、ディスクリネーションの表示不良の度合いが色帯域によって異なることで、白を基調とした１画素や１ライン表示の画像が色づくという課題がある。
【０００９】
この問題を解消するために、液晶の構造や物性値に制限を設けることで、ディスクリネーションによる画像不良を低減する公知例がいくつかあげられる。
【００１０】
公知例としては、例えば、特許文献１に提案されているように、垂直配向の液晶装置であって、液晶の誘電率異方性Δεが−７．０から−４．３の範囲内とすることで、ディスクリネーションを低減してかつコントラストの低下を抑えることができる。という内容が提案されている。
【００１１】
また、特許文献２に提案されているように、垂直配向の液晶装置であって、液晶分子のプレチルト角度が８２．５°〜８５°の範囲内とすることで、ディスクリネーションを低減してかつコントラストの低下を抑えることができる。という内容が提案されている。
【００１２】
以上のように、液晶の構造や物性値に制限を設けることで、ディスクリネーションによる画像不良を低減する従来技術がある。
【先行技術文献】
【特許文献】
【００１３】
【特許文献１】特開２００１−２５５５６２号公報
【特許文献２】特開２００３−２１５５２９号公報
【発明の概要】
【発明が解決しようとする課題】
【００１４】
しかしながら、特許文献１、および特許文献２に提案されている従来の技術は、いずれも、コントラストを維持しながらにしてディスクリネーションを低減して画像不良を低減することができるが、３板など複数の色帯域用の液晶変調素子を持いた画像表示装置においては、光利用効率を１００％（白表示）にするための電圧が異なり、かつ、ディスクリネーションによる表示不良は、電圧が高いほど横電界が大きくなり、表示不良が量的に多くなるため、全色帯域共に光利用効率１００％の白表示を設定すると、白を基調とした１画素や１ライン表示の画像が色づくといった問題は解消されない、という、以上の問題があった。
【課題を解決するための手段】
【００１５】
上記の問題を解決するために、光源と、前記光源からの光を赤と緑と青の帯域の３つの波長帯域に色分解合成する色分解合成系と、３つの液晶変調素子からなり、
前記液晶変調素子は、第１の基板と、第１の基板上に設けられた第１の対向電極と、第１の対向電極上に設けられた第１の配向膜と、第２の基板と、第２の基板上に設けられた第２の対向電極と、第２の対向電極に設けられた第２の配向膜と、第１と第２の配向膜との間に挟まれた液晶層とからなり、前記第１あるいは第２の配向膜の面内方向に対して所定のプレチルト角度を持って略垂直方向に液晶分子がホメオトロピック配向する垂直配向のＶＡＮモードで構成されており、
前記赤帯域の光が入射する前記液晶表示素子を赤帯域液晶表示素子、
前記緑帯域の光が入射する前記液晶表示素子を緑帯域液晶表示素子、
前記青帯域の光が入射する前記液晶表示素子を青帯域液晶表示素子、
のとき、
前記液晶変調素子のプレチルト角度の大きさは、
青帯域液晶表示素子＞緑帯域液晶表示素子＞赤帯域液晶表示素子
の順番であり、
前記緑帯域液晶表示素子のプレチルト角度に対して、前記赤帯域液晶表示素子のプレチルト角度の範囲は、−５度以上０度未満であり、かつ、前記青帯域液晶表示素子のプレチルト角度の範囲は、０度超過から＋６度以下であり、
前記赤帯域液晶表示素子、前記緑帯域液晶表示素子、前記青帯域液晶表示素子いずれも、白表示時において、最大の明るさを出力するための電圧が設定されている。
【００１６】
これにより、全色帯域共に、光利用効率を１００％（白表示）出力しながらにして、白表示を基調とした１画素や１ライン表示の画像の色づきを防ぐことができる。
【発明の効果】
【００１７】
一般的に、ＶＡＮ液晶型の液晶変調素子は、１画素１ライン表示時にディスクリネーションが原因で表示不良が発生する。
【００１８】
特に、複数の色を分離合成する画像表示装置に関しては、液晶分子の分光特性により、色によって光利用効率を１００％（白表示）にするための電圧が異なる。例えば、複数の色帯域が、赤帯域、緑帯域、青帯域に分解される画像表示装置の場合、光利用効率を１００％（白表示）にするための電圧の大きさは、赤帯域＞緑帯域＞青帯域の順番になる。
【００１９】
かつ、ディスクリネーションによる表示不良は、電圧が高いほど横電界が大きくなり、表示不良が量的に多くなる。
【００２０】
これにより、色を合成する際に、ディスクリネーションの表示不良の度合いが色帯域によって異なることで、白を基調とした１画素や１ライン表示の画像が色づくという課題があるが、
本発明では、
緑帯域液晶表示素子のプレチルト角度に対して、赤帯域液晶表示素子のプレチルト角度の範囲を、−５度以上０度未満とし、青帯域液晶表示素子のプレチルト角度の範囲は、０度超過から＋６度以下とし、
かつ、赤帯域液晶表示素子、緑帯域液晶表示素子、青帯域液晶表示素子いずれも、白表示時において、最大の明るさを出力するための電圧を設定する。
【００２１】
これにより、全色帯域共に、光利用効率を１００％（白表示）出力しながらにして、白表示を基調とした１画素や１ライン表示の画像の色づきを防ぐことができる。
【図面の簡単な説明】
【００２２】
【図１】実施例１の液晶表示装置を説明する図
【図２】実施例１の液晶変調素子の断面を説明する図
【図３】実施例１の液晶変調素子を断面からのプレチルト角度を説明する図
【図４】実施例１の液晶変調素子を画素垂直方向からのプレチルト角度を説明する図
【図５】液晶変調素子のガンマ曲線を説明する図
【図６】液晶変調素子の白表示画素の反射率分布を説明する図
【図７】液晶変調素子のプレチルト角度に対する白表示画素の反射率を説明する図
【図８】実施例１の実施例における液晶変調素子の白表示画素の反射率を説明する図
【図９】実施例２の実施例における液晶変調素子の白表示画素の反射率を説明する図
【発明を実施するための形態】
【００２３】
ここで、上記プレチルト角度の数値範囲の理由を説明する。
【００２４】
図２は、各々レッド用液晶表示素子、グリーン用液晶表示素子、ブルー用液晶表示素子の断面構造を示し、１００はガラス基板、１０１は液晶層、１０２は斜方蒸着膜、１０３は反射画素電極、１０４ａは絶縁相間膜ａ、１０４ｂは絶縁相間膜ｂ、１０５は吸収膜、１０６は吸収膜と絶縁相関膜、１０７は電極配線層である。
【００２５】
また、図３は、図２の斜方蒸着膜１０２表面に配向する液晶分子の配向状態を示し、１０８は液晶分子、１０９は液晶分子１０８の異常光屈折率、１１０は液晶分子１０８の常光屈折率、１１１は異常光屈折率方向１０９と斜方蒸着膜１０２の垂線方向との角度θとして定義される液晶プレチルト角度である。このとき、液晶分子１０８のダイレクタ方向は、異常光屈折率１０９の方向と同一方向であると定義する。
【００２６】
また、図４は、各々レッド用液晶表示素子、グリーン用液晶表示素子、ブルー用液晶表示素子をガラス基板１００側から見た図であり、１２０ａは反射画素電極１０３に接した斜方蒸着膜１０２に配向している液晶分子１０８のプレチルト方向、１２０ｂはガラス基板１００に接した斜方蒸着膜１０２に配向している液晶分子１０８のプレチルト方向であり、プレチルト方向１２０ａおよび１０２ｂは互いに相反しており、かつ反射画素電極１０３の配列方向に対して４５度方向に配向処理がなされている。
【００２７】
このとき、液晶層１０１はメルク社製ＭＬＣ６６０８であり、反射画素電極１０３のガラス基板１００側からみた形状は７．６５μ×７．６５μの正方形であり、液晶層１０１のギャップは３．０μであり、液晶プレチルト角度θが６．０度の場合に、全ての反射画素電極１０３の駆動電圧を同一にして駆動したときの、反射率ガンマ曲線を図５に示す。このとき、レッドの帯域を波長６５０ｎｍ、グリーンの帯域を波長５５０ｎｍ、ブルーの帯域を波長４５０ｎｍとして、各々の帯域での液晶表示素子のガンマ曲線とする。図５より、液晶分子の波長分散特性から、白表示の条件である最大の反射率を出力するための液晶印加電圧は各々異なり、レッド用液晶表示素子は３．９６Ｖ、グリーン用液晶表示素子は３．３６Ｖ、ブルー用液晶表示素子は２．９３Ｖであり、レッド用、グリーン用、ブルー用各々の電圧が異なることになる。
【００２８】
このとき、１画素ライン毎に白表示と黒表示を交互に表示した表示パターンにおける、白表示の画素内反射率分布を図６に示す。このとき、黒表示は０Ｖ、白表示は上記に示した通りに最大の反射率を出力するための電圧が各々印加されている。横軸は白表示１画素の位置を示し、縦軸は反射率を示す。このとき、白表示画素の反射率分布は白表示と黒表示の印加電圧が異なることで発生する横電界により液晶分子のチルト方向が乱れ、１画素（７．６５μ）全ての領域で反射率が最大に出力されずに歪な分布をしている。更に、各色帯域で白を表示するための印加電圧が異なるために横電界の影響が帯域によって異なり、１画素の反射率は、レッド用（６５０ｎｍ）が最も高く、ブルー用（４５０ｎｍ）が最も低く、グリーン用（５５０ｎｍ）が中間の順番となる。
【００２９】
これにより、レッド用、グリーン用、ブルー用の液晶表示素子を合成して投影する液晶表示素子において１画素１ライン表示の白を基調とする画素に色味が発生する。この場合は、黄色味がかることになる。
【００３０】
図７には、レッド用、グリーン用、ブルー用の液晶表示素子が各々最大の反射率を出力するための電圧を白表示、電圧が０Ｖのときを黒表示とした場合、各プレチルト角度θでの１画素ライン毎に白表示と黒表示を交互に表示した表示パターンにおける、白表示の１画素の反射率を示す。横軸はプレチルト角度θ、縦軸は１画素全領域で反射率が最大のときを１００％としたときの白表示画素１画素の反射率を示す。
【００３１】
このとき、グリーン用液晶表示素子のプレチルト角度θに対して、レッド用液晶表示素子のプレチルト角度の範囲を−５度以上０度未満とし、かつ、ブルー用液晶表示素子のプレチルト角度θの範囲を０度超過から＋６度以下とすることで、赤緑青帯域を合成したときの白表示をしている画素の色味は、全画素を白表示とした設計値に対して、０．００５以内の範囲に収めることができる。
【００３２】
これにより、全色帯域共に、光利用効率を１００％（白表示）出力しながらにして、白表示を基調とした１画素や１ライン表示の画像の色づきを防ぐことができる。
［実施例１］
本発明の液晶変調素子を用いた投影表示装置の実施形態を図１に基づき説明する。
【００３３】
図１は投写型表示装置の実施形態を構成する主要な光学系の断面図である。
【００３４】
不図示の外部ビデオ入力信号を液晶変調素子駆動信号に変換する液晶変調素子ドライバー３０３からのドライブ信号を図中の実線を介して反射型液晶素子からなるレッド用液晶変調素子３Ｒ、グリーン用液晶変調素子３Ｇ、ブルー用液晶変調素子２Ｂをそれぞれ独立制御し、一方、本発明の照明手段３０１（側面図を横に記している）からの紙面垂直方向に直線偏光偏波した照明光を、マゼンタ色を反射しグリーン色を透過するマゼンタグリーン波長帯域分離ダイクロイックミラー３０５によってまずマゼンタ色成分を偏向し、偏向されたマゼンタ色は、ブルー色の偏光に半波長のリタデーションを与えるブルークロスカラー偏光子３１１を通過して、紙面水平方向に直線偏光偏波したブルー色成分と、紙面垂直方向に直線偏光偏波したレッド色成分が作成され、次に、偏光ビームスプリッタ３１０に入射し、紙面水平方向に直線偏光偏波したブルー色成分は偏光分離膜をＰ偏光波のため透過して、ブルー用液晶変調素子３Ｂに導かれ、紙面垂直方向に直線偏光偏波したレッド色成分は偏光分離膜をＳ偏光波のため反射して、レッド用液晶変調素子３Ｒに導かれる。
【００３５】
一方、マゼンタグリーン波長帯域分離ダイクロイックミラー３０５によって透過分離されたグリーン色成分は、光路長を補正するためのダミーガラス３０６を通過し、次に、偏光ビームスプリッタ３０７に入射し、紙面垂直方向に直線偏光偏波したグリーン色成分は偏光分離膜をＳ偏光波のため反射して、グリーン用液晶変調素子３Ｇに導かれるように構成されている。
【００３６】
上記の照明構成で各レッド用液晶変調素子３Ｒ、グリーン用液晶変調素子３Ｇ、ブルー用液晶変調素子３Ｇは照明される。
【００３７】
一方、ビデオ信号に法って変調されたレッド用液晶変調素子３Ｒ、グリーン用液晶変調素子３Ｇ、ブルー用液晶変調素子３Ｇによって、各液晶変調素子３Ｒ、３Ｇ、３Ｂを照明する光は、各レッド用液晶変調素子３Ｒ、グリーン用液晶変調素子３Ｇ、ブルー用液晶変調素子３Ｇに配列された画素の変調状態に応じて偏光のリタデーションが付与され、照明光と同じ方向の偏光偏波成分は、照明光路を略引き返す光路を辿って光源ランプ側に戻り、照明光の偏波方向に対して直角方向の偏光偏波成分に関しては、レッド用液晶変調素子３Ｒによる変調光は偏光偏波方向が紙面水平方向となり、偏光ビームスプリッタ３０１の偏光分離膜をＰ偏光波のため透過して、次に、レッド色の偏光に半波長のリタデーションを与えるレッドクロスカラー偏光子３１２を通過して、紙面垂直方向に直線偏光偏波したレッド色成分に変換され、次に、偏光ビームスプリッタ３０８に入射し、紙面垂直方向に直線偏光偏波したレッド色成分は偏光分離膜をＳ偏光波のため反射して、投影光学系３０４の方向に偏向を受ける。
【００３８】
ブルー用液晶変調素子３Ｂによる変調光は偏光偏波方向が紙面垂直方向となり、偏光ビームスプリッタ３１０の偏光分離膜をＳ偏光波のため反射して、次に、レッド色の偏光に半波長のリタデーションを与えるレッドクロスカラー偏光子３１２を作用を受けずに通過して、次に、偏光ビームスプリッタ３０８に入射し、紙面垂直方向に直線偏光偏波したブルー色成分は偏光分離膜をＳ偏光波のため反射して、投影光学系３０４の方向に偏向を受ける。
【００３９】
グリーン用液晶変調素子３Ｇによる変調光は偏光偏波方向が紙面水平方向となり、偏光ビームスプリッタ３０７の偏光分離膜をＰ偏光波のため透過して、次に、光路長を補正するためのダミーガラス３０９を通過し、次に、偏光ビームスプリッタ３０８に入射し、紙面水平方向に直線偏光偏波したグリーン色成分は偏光分離膜をＰ偏光波のため透過して、投影光学系３０４の方向に導かれる。ただし各レッド用液晶変調素子３Ｒ、グリーン用液晶変調素子３Ｇ、ブルー用液晶変調素子３Ｇにおける複数配された画素は各所定画素が相対的に所定精度を有して重なるように調整またはメカ的または電気的に補償されていることは言及するまでもない。次に、合波されたカラー色として変調された光はそのまま投影光学系３０４の入射瞳によって捕らえられ、各レッド用液晶変調素子３Ｒ、グリーン用液晶変調素子３Ｇ、ブルー用液晶変調素子３Ｇの光変調面と光拡散スクリーン３１３の光拡散面が投影光学系３０４によって光学的共役関係に配されているため、光拡散スクリーン３１３に転送されて、ビデオ信号に法った画像が光拡散スクリーン３１３に表示されるものである。
【００４０】
このとき、各々レッド用液晶変調素子３Ｒ、グリーン用液晶変調素子３Ｇ、ブルー用液晶変調素子２Ｂは、垂直配向モードの反射型液晶変調素子である。
【００４１】
図２は、各々レッド用液晶表示素子３Ｒ、グリーン用液晶表示素子３Ｇ、ブルー用液晶表示素子２Ｂの断面構造を示し、１００はガラス基板、１０１は液晶層、１０２は斜方蒸着膜、１０３は反射画素電極、１０４ａは絶縁相間膜ａ、１０４ｂは絶縁相間膜ｂ、１０５は吸収膜、１０６は吸収膜と絶縁相関膜、１０７は電極配線層である。
【００４２】
また、図３は、図２の斜方蒸着膜１０２表面に配向する液晶分子の配向状態を示し、１０８は液晶分子、１０９は液晶分子１０８の異常光屈折率、１１０は液晶分子１０８の常光屈折率、１１１は異常光屈折率方向１０９と斜方蒸着膜１０２の垂線方向との角度θとして定義される液晶プレチルト角度である。このとき、液晶分子１０８のダイレクタ方向は、異常光屈折率１０９の方向と同一方向であると定義する。
【００４３】
また、図４は、各々レッド用液晶表示素子３Ｒ、グリーン用液晶表示素子３Ｇ、ブルー用液晶表示素子２Ｂをガラス基板１００側から見た図であり、１２０ａは反射画素電極１０３に接した斜方蒸着膜１０２に配向している液晶分子１０８のプレチルト方向、１２０ｂはガラス基板１００に接した斜方蒸着膜１０２に配向している液晶分子１０８のプレチルト方向であり、プレチルト方向１２０ａおよび１０２ｂは互いに相反しており、かつ反射画素電極１０３の配列方向に対して４５度方向に配向処理がなされている。
【００４４】
このとき、液晶層１０１はメルク社製ＭＬＣ６６０８であり、反射画素電極１０３のガラス基板１００側からみた形状は７．６５μ×７．６５μの正方形であり、液晶層１０１のギャップは３．０μである。
【００４５】
このとき各液晶変調素子のプレチルト角度は、レッド用液晶変調素子が７．０度、グリーン用液晶変調素子が９．０度、ブルー用液晶変調素子が１１．９度である。
【００４６】
このとき、全ての反射画素電極１０３の駆動電圧を同一にして駆動したときの、反射率が最大になるための液晶印加電圧は、各々、レッド用液晶変調素子が３．９６Ｖ、グリーン用液晶変調素子が３．２５Ｖ、ブルー用液晶変調素子が２．６５Ｖである。
【００４７】
このとき、１画素ライン毎に白表示と黒表示を交互に表示した表示パターンにおける、白表示の画素内反射率分布を図８に示す。黒表示は０Ｖ、白表示は上記に示した通りに最大の反射率を出力するための電圧が各々印加されている。横軸は白表示１画素の位置を示し、縦軸は反射率を示す。このとき、白表示画素の反射率分布は白表示と黒表示の印加電圧が異なることで発生する横電界により液晶分子のチルト方向が乱れ、１画素（７．６５μ）全ての領域で反射率が最大に出力されずに歪な分布をしている。
【００４８】
このとき、１画素全領域で反射率が最大のときを１００％としたときの白表示画素１画素の反射率は、各々レッド用液晶変調素子が４２．２％、グリーン用液晶変調素子が４２．３％、ブルー用液晶変調素子が４２．１％であり、３色帯域合成での白表示画素の色味は、全画素を白表示とした設計値に対してｘ値が０．０００２、ｙ値が０．０００６しかずれておらず、色味が視認されない。
【００４９】
本実施例では、全色帯域共に、光利用効率を１００％（白表示）出力しながらにして、白表示を基調とした１画素や１ライン表示の画像の色づきを防ぐことができる。
［実施例２］
本実施例において、実施例１と共通する構成要素には実施例１と同じ符号を付している。
【００５０】
このとき、液晶層１０１はメルク社製ＭＬＣ６６０８であり、反射画素電極１０３のガラス基板１００側からみた形状は７．６５μ×７．６５μの正方形であり、液晶層１０１のギャップは３．０μである。
このとき各液晶変調素子のプレチルト角度は、レッド用液晶変調素子が６．０度、グリーン用液晶変調素子が８．０度、ブルー用液晶変調素子が１１．０度である。
【００５１】
このとき、全ての反射画素電極１０３の駆動電圧を同一にして駆動したときの、反射率が最大になるための液晶印加電圧は、各々、レッド用液晶変調素子が４．０２Ｖ、グリーン用液晶変調素子が３．３０Ｖ、ブルー用液晶変調素子が２．７２Ｖである。
【００５２】
このとき、１画素ライン毎に白表示と黒表示を交互に表示した表示パターンにおける、白表示の画素内反射率分布を図９に示す。黒表示は０Ｖ、白表示は上記に示した通りに最大の反射率を出力するための電圧が各々印加されている。横軸は白表示１画素の位置を示し、縦軸は反射率を示す。このとき、白表示画素の反射率分布は白表示と黒表示の印加電圧が異なることで発生する横電界により液晶分子のチルト方向が乱れ、１画素（７．６５μ）全ての領域で反射率が最大に出力されずに歪な分布をしている。
【００５３】
このとき、１画素全領域で反射率が最大のときを１００％としたときの白表示画素１画素の反射率は、各々レッド用液晶変調素子が４１．０％、グリーン用液晶変調素子が４１．６％、ブルー用液晶変調素子が４１．７％であり、３色帯域合成での白表示画素の色味は、全画素を白表示とした設計値に対してｘ値が０．００１、ｙ値が０．００２しかずれておらず、色味が視認されない。
【００５４】
本実施例では、全色帯域共に、光利用効率を１００％（白表示）出力しながらにして、白表示を基調とした１画素や１ライン表示の画像の色づきを防ぐことができる。
【符号の説明】
【００５５】
１００  ガラス基板、１０１  液晶層、１０２  斜方蒸着膜、１０３  反射画素電極、１０４−ａ  絶縁相関膜、
１０４−ｂ  絶縁層間膜、１０５  吸収膜、１０６  吸収膜・絶縁相関膜、１０７  電極配線層、１０８  液晶分
子、１０９  異常光屈折率、１１０  常光屈折率、１１１  プレチルト角度、１１２ａ  プレチルト方向ａ、
１１３ｂ  プレチルト角度ｂ
【図１】
2012247445.tif 000003
【図２】
2012247445.tif 000004
【図３】
2012247445.tif 000005
【図４】
2012247445.tif 000006
【図５】
2012247445.tif 000007
【図６】
2012247445.tif 000008
【図７】
2012247445.tif 000009
【図８】
2012247445.tif 000010
【図９】
2012247445.tif 000011